(57)【特許請求の範囲】
【請求項１】
複数のマグネシウム粒を収容する収容部と、
前記複数のマグネシウム粒に囲まれる領域を有する流路と、
前記流路の周方向に複数、設けられ、前記収容部内の前記複数のマグネシウム粒の集合の内側から当該マグネシウム粒に対して水を噴出させる噴出部と、
前記噴出部から噴出され、前記複数のマグネシウム粒に接触した水を前記収容部から流出させる流出部と、
を備えることを特徴とする水改質装置。
【請求項２】
前記噴出部は、前記収容部における半径方向内側に設けられ、当該収容部における半径方向外側に向けて水を噴出することを特徴とする請求項１に記載の水改質装置。
【請求項３】
前記流路は、前記収容部の半径方向内側であって当該収容部の軸方向に沿って設けられることを特徴とする請求項１に記載の水改質装置。
【請求項４】
前記噴出部は、前記収容部における下側に向けて水を噴出することを特徴とする請求項１に記載の水改質装置。
【請求項５】
前記噴出部は、前記流路における下側に設けられることを特徴とする請求項４に記載の水改質装置。
【請求項６】
複数のマグネシウム粒を収容する収容部と、
前記複数のマグネシウム粒に囲まれる領域を有する流路と、
前記流路に設けられ、前記収容部内の前記複数のマグネシウム粒の集合の内側から当該マグネシウム粒に対して水を噴出させる噴出部と、
前記噴出部から噴出され、前記複数のマグネシウム粒に接触した水を前記収容部から流出させる流出部と、を備え、
前記噴出部は、前記収容部の周方向に沿って水を噴出し、前記流路の外周と前記収容部の内周との間にて前記マグネシウム粒を回転移動させることを特徴とする水改質装置。
【請求項７】
前記収容部における前記マグネシウム粒の移動経路上に設けられ、移動する当該マグネシウム粒が衝突する被衝突部を備えることを特徴とする請求項１乃至６のいずれか１項に記載の水改質装置。
【請求項８】
請求項１乃至７のいずれか１項に記載の水改質装置が複数連結されたことを特徴とする水改質システム。
【請求項９】
水を改質する水改質装置に着脱可能に設けられるマグネシウム粒収容体であって、
複数のマグネシウム粒を収容する収容部と、
前記複数のマグネシウム粒に囲まれる領域を有する流路と、
前記流路の周方向に複数、設けられ、前記収容部内の前記複数のマグネシウム粒の集合の内側から当該マグネシウム粒に対して水を噴出させる噴出部と、
を備えることを特徴とするマグネシウム粒収容体。
【請求項１０】
複数のマグネシウム粒に囲まれる領域を有する流路の周方向に複数、設けられる噴出部から、当該複数のマグネシウム粒を収容する収容部内の当該複数のマグネシウム粒の集合の内側から当該マグネシウム粒に対して水を噴出させる工程と、
前記複数のマグネシウム粒に接触した水を前記収容部から流出させる工程と、
を備えることを特徴とする改質水の製造方法。
【請求項１１】
複数のマグネシウム粒を収容する収容部と、
前記複数のマグネシウム粒に囲まれる領域を有する流路と、
前記流路の周方向に複数、設けられ、前記収容部内の前記複数のマグネシウム粒の集合の内側から当該マグネシウム粒に対して水を噴出させる噴出部と、
前記噴出部から噴出され、前記複数のマグネシウム粒に接触した水を前記収容部から流出させる流出部と、
前記流出部から流出する水を用いて対象を洗浄する洗浄部と、
を備えることを特徴とする洗浄装置。
【発明の詳細な説明】
【技術分野】
【０００１】
本発明は、水改質装置、水改質システム、マグネシウム粒収容体、改質水の製造方法および洗浄装置に関する。
【背景技術】
【０００２】
水酸化マグネシウムが溶出した水を、例えば、洗濯水などに利用することが行われている。例えば、特許文献１には、複数個の、金属マグネシウム（Ｍｇ）単体を５０重量％以上含有する粒子（マグネシウム粒子）を、水を透過する網体で封入してなる本件発明の洗濯用洗浄補助用品を、洗濯用洗剤とともに洗濯機の洗濯槽に投入し被洗濯物を洗濯することが記載されている。
【先行技術文献】
【特許文献】
【０００３】
【特許文献１】特開２０１４−９０８９５号公報
【発明の概要】
【発明が解決しようとする課題】
【０００４】
マグネシウム粒と水とを接触させることで、水酸化マグネシウムを含む水を得ることができる。ここで、マグネシウム粒と水との接触を効果的に行うことができれば、水酸化マグネシウムを含む水の作成効率を高めることが可能になる。
本発明は、マグネシウム粒と水とを効果的に接触させることを目的とする。
【課題を解決するための手段】
【０００５】
かかる目的のもと、本発明は、複数のマグネシウム粒を収容する収容部と、前記複数のマグネシウム粒に囲まれる領域を有する流路と、前記流路の周方向に複数、設けられ、前記収容部内の前記複数のマグネシウム粒の集合の内側から当該マグネシウム粒に対して水を噴出させる噴出部と、前記噴出部から噴出され、前記複数のマグネシウム粒に接触した水を前記収容部から流出させる流出部と、を備えることを特徴とする水改質装置である。
ここで、前記噴出部は、前記収容部における半径方向内側に設けられ、当該収容部における半径方向外側に向けて水を噴出することを特徴とすることができる。
また、前記流路は、前記収容部の半径方向内側であって当該収容部の軸方向に沿って設けられることを特徴とすることができる。
ここで、前記噴出部は、前記収容部における下側に向けて水を噴出することを特徴とすることができる。
また、前記噴出部は、前記流路における下側に設けられることを特徴とすることができる。
さらに、本発明は、複数のマグネシウム粒を収容する収容部と、前記複数のマグネシウム粒に囲まれる領域を有する流路と、前記流路に設けられ、前記収容部内の前記複数のマグネシウム粒の集合の内側から当該マグネシウム粒に対して水を噴出させる噴出部と、前記噴出部から噴出され、前記複数のマグネシウム粒に接触した水を前記収容部から流出させる流出部と、を備え、前記噴出部は、前記収容部の周方向に沿って水を噴出し、前記流路の外周と前記収容部の内周との間にて前記マグネシウム粒を回転移動させることを特徴とする水改質装置である。
さらに、前記収容部における前記マグネシウム粒の移動経路上に設けられ、移動する当該マグネシウム粒が衝突する被衝突部を備えることを特徴とすることができる。
また、かかる目的のもと、本発明は、上記のいずれかに記載の水改質装置が複数連結されたことを特徴とする水改質システムである。
また、かかる目的のもと、本発明は、水を改質する水改質装置に着脱可能に設けられるマグネシウム粒収容体であって、複数のマグネシウム粒を収容する収容部と、前記複数のマグネシウム粒に囲まれる領域を有する流路と、前記流路の周方向に複数、設けられ、前記収容部内の前記複数のマグネシウム粒の集合の内側から当該マグネシウム粒に対して水を噴出させる噴出部と、を備えることを特徴とするマグネシウム粒収容体である。
また、かかる目的のもと、本発明は、複数のマグネシウム粒に囲まれる領域を有する流路の周方向に複数、設けられる噴出部から、当該複数のマグネシウム粒を収容する収容部内の当該複数のマグネシウム粒の集合の内側から当該マグネシウム粒に対して水を噴出させる工程と、前記複数のマグネシウム粒に接触した水を前記収容部から流出させる工程と、を備えることを特徴とする改質水の製造方法である。
また、かかる目的のもと、本発明は、複数のマグネシウム粒を収容する収容部と、前記複数のマグネシウム粒に囲まれる領域を有する流路と、前記流路の周方向に複数、設けられ、前記収容部内の前記複数のマグネシウム粒の集合の内側から当該マグネシウム粒に対して水を噴出させる噴出部と、前記噴出部から噴出され、前記複数のマグネシウム粒に接触した水を前記収容部から流出させる流出部と、前記流出部から流出する水を用いて対象物を洗浄する洗浄部と、を備えることを特徴とする洗浄装置である。
【発明の効果】
【０００６】
本発明によれば、マグネシウム粒と水とを効果的に接触させることができる。
【図面の簡単な説明】
【０００７】
【図１】第１実施形態の水改質装置の全体斜視図である。
【図２】第１実施形態の水改質装置の断面図である。
【図３】（Ａ）および（Ｂ）は、第１実施形態の撹拌部の斜視図および断面図である。
【図４】（Ａ）〜（Ｃ）は、第１実施形態の水改質装置の動作の説明図である。
【図５】（Ａ）〜（Ｃ）は、第１実施形態の水改質装置の着脱操作の説明図である。
【図６】第２実施形態の水改質装置の断面図である。
【図７】第２実施形態のカートリッジの全体斜視図である。
【図８】（Ａ）〜（Ｃ）は、第２実施形態の水改質装置の着脱操作の説明図である。
【図９】第１変形例の撹拌部の斜視図および断面図である。
【図１０】第２変形例の撹拌部の斜視図である。
【図１１】（Ａ）および（Ｂ）は、第３変形例の撹拌部の斜視図および断面図である。
【図１２】第４変形例の撹拌部の斜視図である。
【図１３】本実施形態が適用される水改質システムの全体図である。
【図１４】本実施形態が適用される洗濯機の全体図である。
【図１５】本実施形態が適用されるシンク装置の全体図である。
【図１６】本実施形態が適用される食器洗浄機の全体図である。
【発明を実施するための形態】
【０００８】
以下、添付図面を参照して、本実施形態について詳細に説明する。
【０００９】
＜第１実施形態＞
図１は、第１実施形態の水改質装置１の全体斜視図である。
図２は、第１実施形態の水改質装置１の断面図である。
【００１０】
図１に示すように、第１実施形態の水改質装置１は、本体を構成する本体部１０と、本体部１０に対してユーザにより着脱可能に構成されるとともに水およびマグネシウム粒１００（図２参照）を収容する収容部２０と、マグネシウム粒１００を撹拌させる撹拌部３０（図２参照）と、を備えている。
ここで、本実施形態の説明において、水改質装置１の長手方向を「軸方向」と呼ぶ。そして、水改質装置１は、水改質装置１の軸方向が鉛直方向に沿うように設置される。
【００１１】
本実施形態のマグネシウム粒１００は、例えば金属マグネシウム（Ｍｇ）単体を５０重量％以上含有する粒を用いることができる。なお、マグネシウム粒１００において、金属マグネシウム単体が含まれる割合は、より高い方が好ましい。
【００１２】
そして、水改質装置１は、マグネシウム粒１００に水を接触させることによって、マグネシウムと水とを反応させる。マグネシウムと水とが反応することで、マグネシウム粒１００に接触した水には、水素（Ｈ２）と水酸化マグネシウム（Ｍｇ（ＯＨ）２）とが含まれる。なお、本実施形態において、マグネシウム粒１００に接触した水のことを「改質水」と呼ぶ。
【００１３】
また、図１に示すように、本実施形態の収容部２０には、例えば、銀（Ａｇ）、鉄（Ｆｅ）、銅（Ｃｕ）などのマグネシウム（Ｍｇ）とは異なる金属の金属粒２００が収容される。金属粒２００は、収容部２０に収容される複数のマグネシウム粒１００の個数に対し、例えば１％以上１０％以下の割合で含めることが好ましい。そして、例えば、金属粒２００として銀（Ａｇ）や銅（Ｃｕ）を用いた場合には、金属イオンによる殺菌作用を改質水にもたせることができる。また、例えば金属粒２００として鉄（Ｆｅ）を用いた場合には、マグネシウムを水に溶出させるための反応を促進することができる。
【００１４】
改質水は、ｐＨが例えば約８〜１１となるアルカリ性であり、洗浄作用や殺菌作用を有する。従って、改質水は、洗濯水やプールの水などの用途に利用することができる。特に、改質水には、水素（Ｈ２）がファインバブル（例えば、直径が１００μｍ以下の気泡）として含まれる。このファインバブルの効果により、改質水の洗浄作用がさらに高められる。また、改質水は、水酸化マグネシウムおよびマグネシウムイオンが含まれるため、美肌効果が期待できる。従って、改質水は、入浴水などの用途に利用することができる。さらに、改質水は、植物にとって必要な水酸化マグネシウムおよびマグネシウムイオンを含む。そのため、改質水は、例えば農業や園芸などにおいて植物の肥料などの用途に利用することができる。
以下、上述した改質水を作る水改質装置１について具体的に説明する。
【００１５】
（本体部１０）
図１に示すように、本体部１０は、収容部２０の開口部２１（図２参照）を覆う覆部１１と、収容部２０に水を流入させる流入部１２と、マグネシウム粒１００に接触した水を収容部２０から流出させる流出部１３と、本体部１０を設置するための固定部材が接続される被固定部１４と、を備える。
【００１６】
覆部１１は、略円盤状に形成される。そして、覆部１１は、収容部２０の上側に設けられる。また、図２に示すように、覆部１１は、内側に雌ネジ１１ｎを有している。さらに、覆部１１は、開口部２１と対向する箇所に、第１シール部材１１１を有している。第１シール部材１１１は、覆部１１に設けられる環状溝１１ｔに嵌め込まれている。そして、覆部１１は、雌ネジ１１ｎを介して収容部２０と接続することで、収容部２０の上側を覆う。また、第１シール部材１１１は、本体部１０と収容部２０とが接続された状態で、覆部１１と開口部２１との接続箇所から水が流出しないように封止する。
【００１７】
図２に示すように、流入部１２は、流入ホース１２１と、流入ホース１２１および流路部３１（後述）とをつなぐ流入経路部１２２とを有する。そして、流入部１２は、外部から供給される水を、流路部３１を介して収容部２０内に流入させる。
なお、本実施形態において、流入部１２は、「供給部」の一例である。
【００１８】
流入ホース１２１は、一方が流入経路部１２２と接続し、他方にて水道の蛇口あるいは水道につながる水道ホースと接続する。そして、流入ホース１２１は、水道から供給される水道水を流入経路部１２２に流す。
【００１９】
なお、本実施形態の水改質装置１で用いる水は、含まれる不純物が少ないことが好ましい。本実施形態では、例えば水道水を用いているが、フィルタにより懸濁物質を除去した後の井水や工業用水を用いてもよい。さらに、水改質装置１では、水中に含まれるイオンを除去した脱イオン水や蒸留水を用いてもよい。ただし、含まれる不純物が少ないという観点からは、水改質装置１で用いる水には、脱イオン水や蒸留水を用いることが好ましい。
【００２０】
流入経路部１２２は、一方にて流入ホース１２１に接続し、他方に後述の流路部３１との接続箇所を形成する嵌合部１２３を有する。
嵌合部１２３は、流路部３１の外径よりも若干大きい内径を有している。そして、嵌合部１２３の内側には、流路部３１が挿入される。嵌合部１２３と流路部３１とが接続することで、流入経路部１２２と流路部３１との間で水が流通可能になる。
【００２１】
流出部１３は、流出ホース１３１と、流出ホース１３１および収容部２０とをつなぐ流出経路部１３２とを有する。そして、流出部１３は、流入部１２から収容部２０に流入してマグネシウム粒１００に接した水、すなわち改質水を、収容部２０外に流出させる。
【００２２】
流出ホース１３１は、一方にて流出経路部１３２と接続し、他方にて改質水の供給対象につながる。そして、流出ホース１３１は、改質水の供給対象に向けて収容部２０の改質水を供給する。
【００２３】
流出経路部１３２は、一方が流出ホース１３１に接続し、他方が収容部２０の開口部２１における流路部３１の半径方向外側の部分と対向する。そして、流出経路部１３２は、収容部２０の改質水を流出ホース１３１に流す。
【００２４】
図１に示すように、被固定部１４は、本体部１０にて突出して設けられる。また、被固定部１４には、ネジ孔が形成される。そして、水改質装置１を設置する際には、被固定部１４を介して、設置対象に水改質装置１が固定される。
【００２５】
なお、本実施形態では、被固定部１４を介して本体部１０が設置対象に取り付けられることで、水改質装置１全体が設置対象に設置される。また、本実施形態では、本体部１０に保持される収容部２０は、本体部１０に対して収容部２０が吊り下げられるように設けられる。また、収容部２０は、本体部１０が設置対象に固定された状態のまま、本体部１０に対して着脱可能になっている。
【００２６】
（収容部２０）
図１に示すように、収容部２０は、円筒形状に形成された部材である。また、図２に示すように、収容部２０は、軸方向における上側に開口部２１を有し、軸方向における下側に底部２２を有している。そして、収容部２０は、内部に、マグネシウム粒１００および水を収容する。
本実施形態の収容部２０は、鉄を主成分とする材料（例えば、ステンレス）を用いて構成することができる。本実施形態では、収容部２０を、鉄を主成分とする材料により構成することで、マグネシウムと収容部２０との間で局部電池を形成し、その電極電位差によって酸化還元反応を生じさせ、マグネシウムを水中に溶出させやすくしている。
【００２７】
開口部２１は、流入部１２および流出部１３との間で水が流通する以外の領域は、覆部１１によって覆われる。また、収容部２０において開口部２１が設けられる箇所の外周には、雄ネジ２１ｐが設けられる。雄ネジ２１ｐは、本体部１０の雌ネジ１１ｎとネジ結合する。
収容部２０の底部２２は、曲面形状を有している。これにより、収容部２０は、複数のマグネシウム粒１００が撹拌されるとき、底部２２が設けられる下側にて、複数のマグネシウム粒１００および水を移動しやすくしている。
【００２８】
さらに、図２に示すように、収容部２０は、収容するマグネシウム粒１００が収容部２０外に流出することを抑制するメッシュ部材２３を有している。メッシュ部材２３は、半径方向内側に流路部３１が貫通する開口部２３Ｈを有する円盤状の部材である。また、メッシュ部材２３の目は、改質水の通過を許容するとともに、マグネシウム粒１００の通過を制限するサイズになっている。そして、メッシュ部材２３は、半径方向外側にて収容部２０の内周と接続し、半径方向内側にて流路部３１の外周と接続する。
【００２９】
また、第１実施形態の水改質装置１は、収容部２０の軸方向において、底部２２からメッシュ部材２３までの全領域にマグネシウム粒１００を充填することが可能である。ただし、第１実施形態の水改質装置１は、収容部２０に、全領域にマグネシウム粒１００を充填するのではなく、収容部２０の上側の一部の領域にマグネシウム粒１００が充填されない非充填領域２０Ａを設けている。第１実施形態の収容部２０には、全領域の約６割に、複数のマグネシウム粒１００が充填されている。そして、第１実施形態の水改質装置１では、非充填領域２０Ａを設けることで、収容部２０において水を用いて複数のマグネシウム粒１００を撹拌させる際、複数のマグネシウム粒１００が収容部２０内の特に上下方向において移動しやすくしている。
【００３０】
なお、マグネシウム粒１００が収容部２０から流出するのを抑制するメッシュ部材２３は、上述した、収容部２０にて全体的に設けられるメッシュ部材２３に限定されない。例えば、流出経路部１３２の収容部２０側の開口部にメッシュ部材を設けるなど、収容部２０からのマグネシウム粒１００の流出を抑制するメッシュ部材は、部分的に設けられていてもよい。
【００３１】
そして、収容部２０は、収容部２０の内側であって底部２２に、撹拌部３０の流路部３１（後述）を支持する支持部２４を有している。
支持部２４は、円筒状に形成された円筒部２４１を有している。円筒部２４１の内径は、流路部３１の外径よりも若干大きく形成されている。そして、円筒部２４１には、流路部３１が挿入される。
【００３２】
なお、第１実施形態において、収容部２０は、「収容部」、「マグネシウム粒収容体」または「保持部」の一例である。
【００３３】
（撹拌部３０）
図３は、第１実施形態の撹拌部３０の斜視図および断面図である。なお、図３（Ａ）は、撹拌部３０の全体斜視図であり、図３（Ｂ）は、図３（Ａ）に示すIIIＢ−IIIＢ断面線の断面図である。
図３（Ａ）に示すように、撹拌部３０は、水の流路を形成する流路部３１と、流路部３１の上端部に設けられ本体部１０（図２参照）と接続する上側接続部３２と、流路部３１の下端部に設けられ収容部２０（図２参照）と接続する下側接続部３３と、流路部３１から水を噴出させる噴出部３４と、を有する。
【００３４】
流路部３１は、円筒状に形成されている。また、本実施形態の流路部３１は、例えばステンレスなどの鉄を主成分とする材料により構成することができる。そして、図２に示すように、流路部３１は、収容部２０の半径方向内側であって、収容部２０の軸方向に沿って設けられる。そして、流路部３１は、収容部２０の上側から下側に向けて水が流れる経路を形成する。
また、上述のとおり、収容部２０には、複数のマグネシウム粒１００が収容されている。したがって、流路部３１が収容部２０の半径方向内側に設けられることで、流路部３１は、複数のマグネシウム粒１００に囲まれる領域を有する。
【００３５】
図３（Ａ）に示すように、上側接続部３２には、第２シール部材３５が設けられる。第２シール部材３５は、上側接続部３２に設けられる環状の凹部３５ｔに嵌め込まれる。そして、図２に示すように、上側接続部３２は、本体部１０の嵌合部１２３の内側に挿入される。また、第２シール部材３５は、流路部３１と流入経路部１２２との接続箇所から水が漏れないように封止する。
【００３６】
図３（Ａ）に示すように、下側接続部３３には、第３シール部材３６が設けられる。第３シール部材３６は、下側接続部３３に設けられる環状の凹部３６ｔに嵌め込まれる。そして、図２に示すように、下側接続部３３は、収容部２０の支持部２４の内側に挿入される。また、第３シール部材３６は、流路部３１と支持部２４との接続箇所から水が漏れないように封止する。そして、流路部３１は、下側接続部３３が支持部２４に接続することで、下端部が塞がれる。
【００３７】
図３（Ａ）および図３（Ｂ）に示すように、噴出部３４は、複数（例えば、３つ）のスリット３４Ｓを有している。複数のスリット３４Ｓは、流路部３１の周方向において略等間隔に配置されている。
スリット３４Ｓは、軸方向に対して斜めに形成されている。より詳細には、スリット３４Ｓは、上側に設けられ軸方向に対して約４５°の角度を成す第１縁部３４１と、第１縁部３４１よりも下側に設けられ軸方向に対して約４５°の角度を成す第２縁部３４２とを有して構成される。そして、スリット３４Ｓは、流路部３１の半径方向内側から半径方向外側に向けて水を噴出させる。
【００３８】
そして、図３（Ｂ）に示すように、スリット３４Ｓの第１縁部３４１は、半径方向外側に突出するように形成されている。また、スリット３４Ｓの第２縁部３４２は、半径方向内側に窪むように形成されている。このように、スリット３４Ｓは、半径方向外側に突出する第１縁部３４１と半径方向内側に窪む第２縁部３４２とによって水を案内することで、流路部３１内から噴出する水の向きを周方向に向ける。さらに、図３（Ａ）に示すように、スリット３４Ｓは、上述のとおり軸方向に対して斜めに形成されている。これにより、スリット３４Ｓは、流路部３１内から噴出する水の向きを斜め下側に向ける。
【００３９】
続いて、第１実施形態の水改質装置１の動作について具体的に説明する。
図４は、第１実施形態の水改質装置１の動作の説明図である。なお、図４（Ａ）は、水改質装置１の縦断面図であり、図４（Ｂ）は、水改質装置１の横断面図であり、図４（Ｃ）は、収容部２０を透過してみた場合の水改質装置１の全体図である。なお、各々の図には、水の流れによって撹拌される複数のマグネシウム粒１００の動きを模式的に示している。
【００４０】
図４（Ａ）に示すように、流入ホース１２１に給水することで、水は、流入経路部１２２から流路部３１を介して収容部２０内に流入する。そして、水は、流路部３１の下側に設けられる噴出部３４から噴出する。
このように、第１実施形態の水改質装置１では、複数のマグネシウム粒１００に囲われるように流路部３１を設け、複数のマグネシウム粒１００の集合における内側からマグネシウム粒１００に対して水を噴射することで、マグネシウム粒１００に水をより効果的に接触させている。
【００４１】
さらに、図４（Ｂ）に示すように、水改質装置１では、噴出部３４を構成する複数のスリット３４Ｓから、周方向に沿って水がそれぞれ噴出される。これによって、白抜きの矢印で示すように、収容部２０に収容される複数のマグネシウム粒１００は、流路部３１の外周と収容部２０の内周との間にて、周方向に沿って回転移動する。また、図４（Ａ）に示すように、流路部３１の下側に設けられるスリット３４Ｓからは、斜め下側に向けて水が噴出される。この水流によって、例えば、スリット３４Ｓよりも下側に位置する複数のマグネシウム粒１００が底部２２側に押し付けられる。そして、底部２２に複数のマグネシウム粒１００が集中し、底部２２側に押し付けられることの反動で、複数のマグネシウム粒１００は、収容部２０の上側に向けて上昇する。また、複数のマグネシウム粒１００が上昇することで、上側に位置していた複数のマグネシウム粒１００が下側に向けて下降する。
【００４２】
そして、図４（Ｃ）に白抜きの矢印で示すように、水改質装置１では、収容部２０の下側において、複数のマグネシウム粒１００が下降した後に上昇する。一方、水改質装置１では、収容部２０の上側において、上昇した複数のマグネシウム粒１００が下降する。このように、撹拌部３０は、収容部２０に収容される複数のマグネシウム粒１００を上下に循環させながら撹拌させる。そして、第１実施形態の水改質装置１は、水の流れによって複数のマグネシウム粒１００を撹拌することで、マグネシウム粒１００がより水に触れやすくしたり、マグネシウム粒１００同士を衝突させてマグネシウムが溶出させやすくしたりしている。
【００４３】
さらに、第１実施形態の水改質装置１では、複数のマグネシウム粒１００を底部２２側に押し付けながら撹拌させることで、マグネシウム粒１００同士を強く擦り合わせている。この作用によって、マグネシウム粒１００の表面が削れ、マグネシウムが水中に溶出しやすくなる。
また、複数のマグネシウム粒１００は、水改質装置１の半径方向において、流路部３１の外周と収容部２０の内周との間に挟み込まれて拘束された状態になる。そして、第１実施形態の水改質装置１では、複数のマグネシウム粒１００を半径方向において拘束した状態にて複数のマグネシウム粒１００を撹拌させることで、マグネシウム粒１００同士が強く擦れ合うようにしている。
【００４４】
そして、図４（Ａ）に示すように、収容部２０にて複数のマグネシウム粒１００を撹拌させることで得られた改質水は、メッシュ部材２３を通過し、開口部２１から流出経路部１３２に流れる。さらに、改質水は、流出経路部１３２を介して流出ホース１３１から収容部２０外に流出する。そして、流出ホース１３１は、改質水の供給対象に向けて改質水を供給する。このように、第１実施形態の水改質装置１は、水道の水圧を利用することで、モータ等の動力源を必須とせずに、複数のマグネシウム粒１００を撹拌させ、改質水を作成することができる。
【００４５】
続いて、第１実施形態の水改質装置１の着脱操作の手順について説明する。
図５は、第１実施形態の水改質装置１の着脱操作の説明図である。
【００４６】
例えば長期間の使用に伴ってマグネシウム粒１００の粒径が小さくなり、表面積が減少することで、改質水の製造効率が低下したマグネシウム粒１００を含む収容部２０を交換する場合の例を説明する。
この場合、図５（Ａ）に示すように、ユーザは、設置対象に固定された本体部１０に対して収容部２０を回転させ、雌ネジ１１ｎと雄ネジ２１ｐとのネジ結合を外す。なお、第１実施形態では、撹拌部３０と収容部２０とは一体的に構成されており、収容部２０を取り外した際には、撹拌部３０も一緒に取り外される。
そして、雌ネジ１１ｎと雄ネジ２１ｐとのネジ結合が外れると、本体部１０に対して下側に収容部２０を引き抜く。このとき、本実施形態の収容部２０は、上側に設けられ上側を向けて開口する開口部２１が設けられているため、収容部２０の水が外にこぼれにくくなっている。
【００４７】
そして、図５（Ｂ）に示すように、マグネシウム粒１００が収容された新たな収容部２０を準備する。なお、新たな収容部２０には、撹拌部３０が予め取り付けられている。
さらに、図５（Ｃ）に示すように、本体部１０の下側から収容部２０を本体部１０に差し入れる。その後、固定された本体部１０に対して収容部２０を回転させ、雌ネジ１１ｎと雄ネジ２１ｐとをネジ結合させる。そして、収容部２０は、本体部１０に保持され、本体部１０に装着される。また、上側接続部３２が嵌合部１２３に挿入されることで、流路部３１と流入経路部１２２とが接続する。
【００４８】
以上のとおり、第１実施形態の水改質装置１では、マグネシウム粒１００を収容する収容部２０が取り外し可能に構成されているため、例えば消耗することで粒径が小さくなったマグネシウム粒１００が収容される収容部２０を、新たなマグネシウム粒１００を収容する収容部２０に交換できる。そして、第１実施形態の水改質装置１では、表面積がより大きいマグネシウム粒１００を用いて、マグネシウム粒１００に水を効果的に接触させることが可能になる。
【００４９】
＜第２実施形態＞
次に、第２実施形態の水改質装置１について説明する。
図６は、第２実施形態の水改質装置１の断面図である。
図７は、第２実施形態のカートリッジ４０の全体斜視図である。
なお、第２実施形態において、第１実施形態と同様な構成については、同一の符号を付してその詳細な説明を省略する。
図６に示すように、第２実施形態の水改質装置１の基本構成は、第１実施形態と同様である。ただし、第２実施形態の水改質装置１は、収容部２０に対して着脱可能であって、複数のマグネシウム粒１００が収容されるカートリッジ４０を有している。
【００５０】
カートリッジ４０は、複数の孔を有して、複数のマグネシウム粒１００を収容する容器である。そして、カートリッジ４０は、例えばステンレスなど、鉄を主成分とする材料を用いて構成することができる。カートリッジ４０は、例えば複数の孔が設けられたステンレスの板やステンレスのメッシュを、円筒形状に成型することで作成することができる。
【００５１】
そして、図６に示すように、カートリッジ４０は、水改質装置１において、収容部２０の半径方向内側であって流路部３１の半径方向外側に設けられる。カートリッジ４０は、収容部２０に設けられた状態で、半径方向内側にて軸方向に沿って流路部３１が貫通する。
【００５２】
続いて、図７を参照しながら、カートリッジ４０の構造について具体的に説明する。
図７に示すように、カートリッジ４０は、下側に設けられる底面部４１と、上側に設けられる上面部４２と、半径方向外側に設けられる筒状の外周部４３と、半径方向内側に設けられる筒状の内周部４４とを有して構成される。そして、複数のマグネシウム粒１００は、底面部４１、上面部４２、外周部４３および内周部４４によって囲まれた空間（例えば、保持部の一例）に収容される。
【００５３】
底面部４１は、円盤状であって、半径方向内側に開口部４１Ｈを有する。また、上面部４２は、円盤状であって、半径方向内側に開口部４２Ｈを有する。そして、底面部４１および上面部４２の外径は、収容部２０の内径よりも若干小さく形成されている（図６参照）。また、開口部４１Ｈおよび開口部４２Ｈの内径は、流路部３１の外径よりも若干大きく形成される（図６参照）。
外周部４３は、底面部４１の外周と上面部４２の外周とをつなぐように形成される。また、内周部４４は、底面部４１の内周と上面部４２の内周とをつなぐように形成される。
そして、カートリッジ４０は、収容部２０に設けられた状態で、内周部４４に流路部３１が貫通し、外周部４３が収容部２０の内周面と対向する。
【００５４】
また、図６に示すように、第２実施形態の水改質装置１は、カートリッジ４０の軸方向において、底面部４１から上面部４２までの全領域にマグネシウム粒１００を充填することが可能である。ただし、第２実施形態の水改質装置１では、カートリッジ４０には、全領域にマグネシウム粒１００を充填するのではなく、カートリッジ４０の上側の一部の領域にマグネシウム粒１００が充填されない非充填領域４０Ａを設けている。第２実施形態のカートリッジ４０には、全領域の約６割に、複数のマグネシウム粒１００が充填されている。これによって、第２実施形態の水改質装置１では、複数のマグネシウム粒１００がカートリッジ４０の特に上下方向において移動しやすくしている。
【００５５】
なお、第２実施形態において、カートリッジ４０は、「マグネシウム粒収容体」の一例である。
【００５６】
続いて、第２実施形態の水改質装置１の動作について具体的に説明する。
以上のように構成される第２実施形態の水改質装置１における水の流れは、第１実施形態の水改質装置１と同様である。図６に示すように、流入ホース１２１から供給された水は、流入経路部１２２から流路部３１を介して収容部２０内に流入する。そして、水は、流路部３１の下側に設けられる噴出部３４から噴出する。このように、第２実施形態の水改質装置１においても、複数のマグネシウム粒１００に囲われるように流路部３１が設けられ、複数のマグネシウム粒１００の集合における内側からマグネシウム粒１００に対して水を噴射することで、マグネシウム粒１００に水をより効果的に接触させている。
【００５７】
また、撹拌部３０は、カートリッジ４０に収容される複数のマグネシウム粒１００を撹拌する。カートリッジ４０に収容される複数のマグネシウム粒１００は、図４を参照しながら説明した第１実施形態の水改質装置１と同様に、周方向かつ上下方向に移動しながら撹拌される。
そして、収容部２０の改質水は、流出経路部１３２を通って流出ホース１３１から供給対象に供給される。
【００５８】
さらに、第２実施形態の水改質装置１では、カートリッジ４０は、複数の孔が形成されることで表面が比較的粗くなっている。これによって、カートリッジ４０とマグネシウム粒１００とが擦り合わされることで、マグネシウム粒１００が削れて、水中にマグネシウムがより溶出しやすくなっている。
また、第２実施形態の水改質装置１では、カートリッジ４０の外周部４３と内周部４４とによって半径方向において複数のマグネシウム粒１００を拘束した状態で、複数のマグネシウム粒１００を撹拌させる。これによって、第２実施形態の水改質装置１では、マグネシウム粒１００同士が強く擦れ合い、マグネシウム粒１００の表面が削れることを促している。
【００５９】
続いて、第２実施形態の水改質装置１の着脱について説明する。
図８は、第２実施形態の水改質装置１の着脱操作の説明図である。
図８（Ａ）に示すように、ユーザは、固定された本体部１０に対して収容部２０を回転させ、雌ネジ１１ｎと雄ネジ２１ｐとのネジ結合を外す。さらに、第２実施形態では、ユーザは、収容部２０に対して、カートリッジ４０を引き抜くことで、カートリッジ４０を取り出す。このとき、第２実施形態の水改質装置１において、撹拌部３０は、収容部２０に残ったままとなる。
【００６０】
そして、図８（Ｂ）に示すように、マグネシウム粒１００が収容された新たなカートリッジ４０を準備する。そして、カートリッジ４０を、撹拌部３０が取り付けられている収容部２０の開口部２１から挿入する。このとき、カートリッジ４０の内周部４４に流路部３１が通される。そして、第２実施形態においては、カートリッジ４０の内周部４４が、水改質装置１と接続するための接続部として機能する。
【００６１】
さらに、図８（Ｃ）に示すように、本体部１０の下側から収容部２０を本体部１０に差し入れる。その後、固定された本体部１０に対して収容部２０を回転させ、雌ネジ１１ｎと雄ネジ２１ｐとをネジ結合させる。そして、収容部２０は、本体部１０に保持され、本体部１０に装着される。また、上側接続部３２が嵌合部１２３に挿入されることで、流路部３１と流入経路部１２２とが接続する。
【００６２】
以上のとおり、第２実施形態の水改質装置１では、マグネシウム粒１００を収容するカートリッジ４０がユーザによって取り外し可能に構成されているため、例えば消耗して粒径が小さくなったマグネシウム粒１００が収容されるカートリッジ４０を、新たなマグネシウム粒１００を収容するカートリッジ４０に交換できる。そして、第２実施形態の水改質装置１では、表面積がより大きいマグネシウム粒１００を用いて、マグネシウム粒１００に水をより効果的に接触させることが可能になる。
【００６３】
なお、上述した例では、カートリッジ４０と撹拌部３０とが別々に設けられているものであったが、例えば、カートリッジ４０は、撹拌部３０を一体的に備えていてもよい。この場合、水改質装置１においてマグネシウム粒１００の交換を行うときには、収容部２０に対して撹拌部３０が一体に設けられた古いカートリッジ４０を取り外す。さらに、撹拌部３０が一体に設けられた新しいカートリッジ４０を収容部２０に装着する。このとき、下側接続部３３が支持部２４の円筒部２４１に接続される。
【００６４】
続いて、各種の変形例の水改質装置１について説明する。
＜第１変形例＞
図９は、第１変形例の撹拌部３０の斜視図および断面図である。なお、図９（Ａ）は、第１変形例の撹拌部３０の全体斜視図であり、図９（Ｂ）は、図９（Ａ）に示すIXＢ−IXＢ断面線の断面図である。
【００６５】
図９（Ａ）および図９（Ｂ）に示すように、噴出部３４は、複数（例えば、３つ）のスリット５１Ｓを有している。複数のスリット５１Ｓは、流路部３１の周方向において略等間隔に配置されている。
図９（Ａ）に示すように、複数のスリット５１Ｓは、流路部３１の軸方向における略中央部に設けられている。ただし、複数のスリット５１Ｓが設けられる位置は、この例に限定されず、例えば流路部３１の軸方向における中央部よりも下側であってもよい。
【００６６】
また、スリット５１Ｓは、軸方向に対して直交する方向に沿って形成されている。より詳細には、スリット５１Ｓは、流路部３１における半径方向外側に位置し、軸方向に対して約９０°の角度を成す外側縁部５１１と、外側縁部５１１よりも半径方向内側に位置し、軸方向に対して約９０°の角度を成す内側縁部５１２とを有して構成される。そして、スリット５１Ｓは、流路部３１の半径方向内側から半径方向外側に向けて水を噴出させる。
【００６７】
そして、図９（Ｂ）に示すように、スリット５１Ｓの内側縁部５１２は、半径方向内側に窪むように形成されている。このように、スリット５１Ｓは、半径方向外側に設けられる外側縁部５１１と半径方向内側に窪む内側縁部５１２とによって水を案内することで、流路部３１内から噴出する水の向きを軸方向における下側に向ける。
【００６８】
以上のように構成される第１変形例の撹拌部３０は、スリット５１Ｓから下側に向けて水を勢いよく噴出することで、収容部２０に収容されるマグネシウム粒１００を、水の流れによって撹拌することができる。
【００６９】
＜第２変形例＞
図１０は、第２変形例の撹拌部３０の斜視図である。
【００７０】
図１０に示すように、第２変形例の撹拌部３０の噴出部３４は、複数のスリット３４Ｓおよび複数のスリット５１Ｓの両方を有している。
以上のように構成される第２変形例の撹拌部３０の噴出部３４は、複数のスリット３４Ｓによって周方向かつ斜め下側に向けて水を噴出するとともに、スリット５１Ｓから軸方向における下側に向けて水を噴出することで、収容部２０に収容されるマグネシウム粒１００（図２参照）をより強く撹拌することができる。
【００７１】
＜第３変形例＞
図１１は、第３変形例の撹拌部３０の斜視図および断面図である。なお、図１１（Ａ）は、第３変形例の撹拌部３０の全体斜視図であり、図１１（Ｂ）は、第３変形例の撹拌部３０を含む水改質装置１の断面図である。
【００７２】
図１１（Ａ）に示すように、第３変形例の撹拌部３０の噴出部３４は、流路部３１における下側の端部に開口部３４Ｈを有している。開口部３４Ｈは、軸方向の下側を向いて設けられる。また、図１１（Ｂ）に示すように、開口部３４Ｈは、収容部２０の下側に設けられる。この例において、開口部３４Ｈは、収容部２０の底部２２から収容部２０の軸方向の長さの約１／３程度の位置に設けられる。
ただし、開口部３４Ｈの位置は、上記の例に限定されない。開口部３４Ｈは、例えば、収容部２０の軸方向の中央部よりも下側に設けられていればよい。
【００７３】
以上のように構成される第３変形例の撹拌部３０は、開口部３４Ｈから下側に向けて水を勢いよく噴出することで、収容部２０に収容されるマグネシウム粒１００を、水の流れによって撹拌することができる。
【００７４】
＜第４変形例＞
図１２は、第４変形例の撹拌部３０の斜視図である。
【００７５】
図１２に示すように、第４変形例の撹拌部３０は、撹拌されるマグネシウム粒１００が収容部２０（図４参照）内にて移動する際に障害物となるバッフル部３７を有している。バッフル部３７は、複数（例えば、８つ）の突出部３７Ｐを有している。各突出部３７Ｐは、棒状に形成され、半径方向に沿って設けられる。また、突出部３７Ｐは、半径方向内側にて流路部３１に支持されている。そして、複数の突出部３７Ｐは、放射状に設けられる。さらに、第４変形例において、複数の突出部３７Ｐは、周方向および軸方向において異なる位置に設けられる。
突出部３７Ｐは、図１２に示す例では、噴出部３４よりも上側に設けられている。ただし、突出部３７Ｐは、例えば噴出部３４と同様に、流路部３１における下側に設けられていてもよい。
なお、第４変形例において、バッフル部３７が「被衝突部」の一例である。
【００７６】
そして、第４変形例が適用される水改質装置１では、撹拌部３０の噴出部３４から水が噴出されることで、収容部２０内のマグネシウム粒１００（図４参照）が撹拌される。このとき、撹拌されることで周方向や上下方向に移動するマグネシウム粒１００が、バッフル部３７の突出部３７Ｐに衝突する。そして、マグネシウム粒１００は、突出部３７Ｐと接触することで表面が削られ、マグネシウムが水中に溶出しやすくなる。
【００７７】
なお、バッフル部３７は、上述した突出部３７Ｐの形状や位置に限定されない。バッフル部３７は、撹拌されることで移動するマグネシウム粒１００の移動経路上に設けられ、マグネシウム粒１００が衝突するものであれば、他の形状や他の位置に設けられていてもよい。
【００７８】
続いて、第１実施形態、第２実施形態および第１変形例〜第４変形例の水改質装置１を用いた水改質システムについて説明する。
図１３は、本実施形態が適用される水改質システムの全体図である。
【００７９】
図１３に示すように、水改質システムは、上述した第１実施形態、第２実施形態および第１変形例〜第４変形例のうち何れかの水改質装置１を複数連結したものである。複数の水改質装置１を連結することで、上流側に設けられる水改質装置１にて作成した改質水を、下流側に設けられる水改質装置１に供給することができる。この場合には、上流側の水改質装置１の流出ホース１３１と、下流側の水改質装置１の流入ホース１２１とを接続する。このように複数の水改質装置１を直列に接続することで、例えば単体の水改質装置１だけを用いる場合と比較して、ｐＨがより高く、また、水酸化マグネシウムやマグネシウムイオンや水素の濃度がより高い改質水を得ることができる。
なお、水改質システムとして複数の水改質装置１を連結する場合に、同じ構成の水改質装置１を用いてもよく、異なる構成の水改質装置１が含まれていてもよい。
【００８０】
また、第１実施形態、第２実施形態および第１変形例〜第４変形例の水改質装置１において、撹拌部３０は、収容部２０内に流入する水の流れによって直接的にマグネシウム粒１００を撹拌するようにしているが、この態様に限定されない。例えば、収容部２０内に流入する水の流れに応じて回転する回転部材を設け、この回転部材が回転することでマグネシウム粒１００を撹拌させてもよい。すなわち、収容部２０内に流入する水の流れによって、マグネシウム粒１００を間接的に撹拌してもよい。
【００８１】
また、第１実施形態、第２実施形態および第１変形例〜第４変形例において、収容部２０、流路部３１およびカートリッジ４０の材料は、鉄を含む材料に限定しているが、これらの例に限定されない。例えば、収容部２０、流路部３１およびカートリッジ４０の材料には、樹脂材料などの非金属材料を用いてもよい。
【００８２】
さらに、流入ホース１２１の上流側に、流路断面積が前後と比較して小さくなる絞り流路を設け、ベンチュリ効果によって流路内を減圧するとともに、その減圧した流路に対して外部から二酸化炭素（ＣＯ２）や水素（Ｈ２）などを供給することで、水中にこれらの気泡をファインバルブとして取り込むようにしてもよい。なお、この絞り流路は、例えば流路部３１など本体部１０または収容部２０の内側に設けてもよい。
【００８３】
次に、本実施形態の水改質装置１を用いた洗濯機６００について説明する。
図１４は、本実施形態が適用される洗濯機６００の全体図である。
【００８４】
図１４に示すように、洗濯機６００（洗浄装置の一例）は、水道の蛇口から供給される水を改質する水改質装置１と、水改質装置１が改質した水を用いて衣類などの対象物を洗濯する洗濯槽部６１０と、を備える。また、洗濯機６００は、水道の蛇口から水改質装置１に水を流す第１流路Ｃ１と、水改質装置１から洗濯槽部６１０に水を流す第２流路Ｃ２と、洗濯槽部６１０内の水を洗濯槽部６１０外に排出する第３流路Ｃ３と、を備える。
【００８５】
洗濯機６００は、第１流路Ｃ１に設けられる不図示のバルブ機構によって、水道の蛇口から水を水改質装置１に供給したり、水改質装置１への水の供給を止めたりする。
水改質装置１は、洗濯機６００における上側に設けられる。本実施形態の水改質装置１は、洗濯槽部６１０における最高水位よりも高い位置に設けられる。そして、水改質装置１は、第１流路Ｃ１を介して供給される水を改質し、第２流路Ｃ２を介して洗濯槽部６１０に改質水を流す。
また、水改質装置１の本体部１０は、洗濯機６００に固定される。そして、収容部２０は、本体部１０に対して取り外し可能に設けられる。これによって、洗濯機６００では、収容部２０を交換することで、マグネシウム粒１００（図１参照）を取り替えられるようになっている。
【００８６】
洗濯槽部６１０は、一定量の水を貯めることができるとともに、内部に衣類などの洗濯の対象物を収容する。また、洗濯槽部６１０は、回転可能に構成される。さらに、洗濯槽部６１０は、第２流路Ｃ２を介して、水改質装置１から改質水が供給される。そして、洗濯槽部６１０は、水改質装置１から供給される改質水を用いて、洗濯の対象物を洗浄する。
洗濯槽部６１０にて対象物の洗浄に用いられた水は、第３流路Ｃ３から例えば下水道へと排水される。
【００８７】
以上のとおり、本実施形態の洗濯機６００では、水道の蛇口から水が供給されるだけで、水改質装置１が作成した改質水を用いて、対象物を洗浄することができる。つまり、本実施形態の洗濯機６００は、外部から例えば洗濯用洗剤を洗濯槽部６１０に投入することを必須とせずに、洗濯の対象物を洗浄することができる。
【００８８】
次に、本実施形態の水改質装置１を用いたシンク装置７００について説明する。
図１５は、本実施形態が適用されるシンク装置７００の全体図である。
【００８９】
図１５に示すように、シンク装置７００（洗浄装置の一例）は、一定量の水を貯めることができるとともに食器などの対象物を洗浄する箇所を形成する水槽部７１０と、水槽部７１０から水改質装置１に水を供給するポンプ部７２０と、ポンプ部７２０から供給される水を改質する水改質装置１と、を備える。また、シンク装置７００は、水槽部７１０からポンプ部７２０に水を流す第４流路Ｃ４と、ポンプ部７２０から水改質装置１に水を流す第５流路Ｃ５と、水改質装置１から水槽部７１０に水を流す第６流路Ｃ６と、を備える。さらに、シンク装置７００は、第４流路Ｃ４にフィルタ部７３０を備える。
【００９０】
水槽部７１０は、シンク装置７００における上側に設けられている。水槽部７１０には、第６流路Ｃ６を介して水改質装置１から改質水が供給される。また、水槽部７１０には、不図示の排水溝が設けられている。そして、水槽部７１０にて対象物の洗浄に用いられた水は、排水溝から第４流路Ｃ４へと流出する。
フィルタ部７３０は、第４流路Ｃ４を流れる水に含まれる食品汚れなどの異物を取り除く。そして、フィルタ部７３０は、水改質装置１内に異物が詰まったり、異物の蓄積によって水改質装置１の機能障害が発生したりすることを抑制する。なお、フィルタ部７３０は、水槽部７１０よりも下流側であって水改質装置１よりも上流側に設けられることが好ましく、例えば第５流路Ｃ５に設けられていても良い。
【００９１】
ポンプ部７２０は、水槽部７１０の下側に配置される。そして、ポンプ部７２０は、電動モータなどの動力源を用いて水を送る。本実施形態のポンプ部７２０は、第４流路Ｃ４から流入してきた水槽部７１０の排水を、第５流路Ｃ５を介して水改質装置１に送る。
【００９２】
水改質装置１は、水槽部７１０の下側に配置される。そして、水改質装置１は、第５流路Ｃ５を介して供給される水を改質し、第６流路Ｃ６を介して水槽部７１０に改質水を送る。
また、水改質装置１の本体部１０は、シンク装置７００に固定される。そして、収容部２０は、本体部１０に対して取り外し可能に設けられる。これによって、シンク装置７００は、収容部２０を交換することで、マグネシウム粒１００（図１参照）を取り替えられるようになっている。
【００９３】
以上のとおり、本実施形態のシンク装置７００において、水槽部７１０の水は、ポンプ部７２０によって循環するように構成されている。そして、シンク装置７００にて循環する水は、水改質装置１によって改質されるようになっている。水槽部７１０では、水改質装置１から供給される改質水を用いて、食器などの対象物を洗浄することができる。つまり、本実施形態のシンク装置７００では、例えば食器用洗剤を用いることを必須とせずに、対象物を洗浄することができる。
【００９４】
次に、本実施形態の水改質装置１を用いた食器洗浄機８００について説明する。
図１６は、本実施形態が適用される食器洗浄機８００の全体図である。
【００９５】
食器洗浄機８００（洗浄装置の一例）は、食器などの対象物を搬送するコンベア部８１０と、コンベア部８１０により搬送される対象物を洗浄する洗浄部８２０と、洗浄に用いられた水を集める集水部８３０と、を備える。また、食器洗浄機８００は、集水部８３０から水改質装置１に水を供給するポンプ部８４０と、ポンプ部８４０から供給される水を改質する水改質装置１と、を備える。また、食器洗浄機８００は、集水部８３０からポンプ部８４０に水を流す第７流路Ｃ７と、ポンプ部８４０から水改質装置１に水を流す第８流路Ｃ８と、水改質装置１から洗浄部８２０に水を流す第９流路Ｃ９と、を備える。さらに、食器洗浄機８００は、第７流路Ｃ７にフィルタ部８５０を備える。
【００９６】
コンベア部８１０は、食器などの洗浄の対象物が載せられる複数のトレーラック８１１を有する。そして、コンベア部８１０は、トレーラック８１１を移動させることで、洗浄前の対象物を洗浄部８２０に搬入するとともに、洗浄後の対象物を洗浄部８２０から搬出する。
洗浄部８２０は、後述するように水改質装置１から供給される改質水を高圧噴射する複数のノズル８２１を有している。そして、洗浄部８２０は、ノズル８２１から対象物に対して改質水を噴射することで対象物を洗浄する。また、洗浄部８２０は、改質水を高温（例えば、６０℃以上であって８０℃以下）にする加熱部を有している。そして、洗浄部８２０は、高温の改質水をノズル８２１から噴出させることが可能になっている。
【００９７】
集水部８３０は、洗浄部８２０およびコンベア部８１０の下側に配置される。そして、集水部８３０は、洗浄部８２０にて洗浄に用いられた水や、コンベア部８１０にて対象物から落ちる水を集める。そして、集水部８３０は、集めた水を、第７流路Ｃ７を介してポンプ部８４０に流す。
フィルタ部８５０は、第７流路Ｃ７を流れる水に含まれる食品汚れなどの異物を取り除く。そして、フィルタ部８５０は、水改質装置１内に異物が詰まったり、異物の蓄積によって水改質装置１の機能障害が発生したりすることを抑制する。なお、フィルタ部８５０は、集水部８３０よりも下流側であって水改質装置１よりも上流側に設けられることが好ましく、例えば第８流路Ｃ８に設けられていても良い。
【００９８】
ポンプ部８４０は、電動モータなどの動力源を用いて水を送る。本実施形態のポンプ部８４０は、第７流路Ｃ７から流入してきた集水部８３０の水を、第８流路Ｃ８を介して水改質装置１に送る。
【００９９】
水改質装置１は、第８流路Ｃ８を介して供給される水を改質し、第９流路Ｃ９を用いて洗浄部８２０に改質水を送る。
また、水改質装置１の本体部１０は、食器洗浄機８００における所定の位置に固定される。そして、収容部２０は、本体部１０に対して取り外し可能に設けられる。これによって、食器洗浄機８００は、収容部２０を交換することで、マグネシウム粒１００（図１参照）を取り替えられるようになっている。
【０１００】
以上のとおり、本実施形態の食器洗浄機８００において、洗浄部８２０で用いられる水は、ポンプ部８４０によって循環するように構成されている。そして、食器洗浄機８００にて循環する水は、水改質装置１によって改質されるようになっている。洗浄部８２０では、水改質装置１から供給される改質水を用いて、食器などの対象物を洗浄することができる。つまり、本実施形態の食器洗浄機８００では、例えば食器用洗剤等を用いることを必須とせずに、対象物を洗浄することができる。
【０１０１】
なお、図１４を参照しながら説明した洗濯機６００の例では、洗濯槽部６１０にて洗浄に用いられた改質水を再び水改質装置１に通しても良い。つまり、洗濯機６００では、水改質装置１を介して改質水を循環させても良い。一方で、図１５を参照しながら説明したシンク装置７００や図１６を参照しながら説明した食器洗浄機８００の例では、洗浄に用いられた改質水を循環させなくても良い。つまり、シンク装置７００や食器洗浄機８００では、洗浄に用いた改質水を水改質装置１を介して循環させることなく、例えば水道の蛇口から供給される水道水を水改質装置１により改質した改質水を用いて洗浄を行っても良い。
【０１０２】
なお、本実施形態の水改質装置１を備えた洗浄装置は、上述した洗濯機６００、シンク装置７００および食器洗浄機８００に限定されない。例えば、水改質装置１を備えた洗浄装置としては、厨房で用いられる厨房機器、便器を含むトイレ装置、浴槽を含む浴室システムなど、水回りに用いられる各種の装置を例示できる。
【０１０３】
さらに、上述した実施形態では、水改質装置１を洗濯機６００やシンク装置７００や食器洗浄機８００などの洗浄装置に設置する例について説明したが、水改質装置１は、個々の装置に設置されることに限定されない。
例えば、水改質装置１は、施設における複数の蛇口の下流側に設けられるのではなく、複数の蛇口の上流側に設けられていても良い。つまり、水改質装置１は、住宅などの施設において個々の蛇口へと分岐するよりも上流側の給水管に設けられていても良い。この場合には、施設における複数の蛇口から、水改質装置１の改質水が供給されるように構成することができる。
【０１０４】
以上、種々の実施形態や変形例についても言及したが、種々の実施形態や変形例同士を組み合わせることや、一部を入れ替えることは、本書に言及がない場合であっても可能である。
【符号の説明】
【０１０５】
１…水改質装置、１０…本体部、２０…収容部、３０…撹拌部、３１…流路部、３４…噴出部、４０…カートリッジ
【図１】
0006949391.tif 000002
【図２】
0006949391.tif 000003
【図３】
0006949391.tif 000004
【図４】
0006949391.tif 000005
【図５】
0006949391.tif 000006
【図６】
0006949391.tif 000007
【図７】
0006949391.tif 000008
【図８】
0006949391.tif 000009
【図９】
0006949391.tif 000010
【図１０】
0006949391.tif 000011
【図１１】
0006949391.tif 000012
【図１２】
0006949391.tif 000013
【図１３】
0006949391.tif 000014
【図１４】
0006949391.tif 000015
【図１５】
0006949391.tif 000016
【図１６】
0006949391.tif 000017